(57)【要約】      （修正有）【課題】ＦｒＦＯＧ（フロントフォグランプ）ランプエーミング固定構造を提供する。【解決手段】ハウジング１及びその中に設置されるリフレクター２を含み、ハウジング１の下側壁３の裏側にストッパーが設置され、リフレクター２でのハウジング１のストッパーに該当する部位にストッパーに嵌め込む第１ボスがあり、ハウジング１の奥側壁はエーミングスクリューユニットでリフレクター２に結合し、ハウジング１の上側壁７の裏側に第１クリップ８があり、第１クリップ８の相対する両側が外向きに伸びてクリップのアーム９になり、アーム９が奥側向きに折り返され、アーム９にてハウジング１から離れる一端が第１クリップ８の方向へ延長し、リフレクター２にてハウジング１の第１クリップ８に該当する部位に第２ボス１０があり、リフレクター２での第２ボス１０が第１クリップ８に嵌め込まれ、アーム９のハウジング１から離れる端は第２ボス１０に当たる。【選択図】図１
0003232337.tif 000002
【実用新案登録請求の範囲】
【請求項１】
ＦｒＦＯＧランプエーミングの固定構造であって、
ハウジング（１）及びハウジング（１）の中に設置されるリフレクター（２）を含み、前記ハウジング（１）の下側壁（３）の裏側にストッパー（４）が設置され、
前記リフレクター（２）での前記ハウジング（１）の前記ストッパー（４）に該当する部位に前記ストッパー（４）に第１ボス（５）が嵌め込まれ、
前記リフレクター（２）での前記第１ボス（５）が前記ストッパー（４）に嵌め込まれ、
前記ハウジング（１）の奥側壁（６）がエーミングスクリューユニットで前記リフレクター（２）に結合し、
前記ハウジング（１）の上側壁（７）の裏側に第１クリップ（８）があり、前記第１クリップ（８）の相対する両側がそれぞれ外向きに伸びてアーム（９）になり、２つの前記アーム（９）がそれぞれ奥側向きに折り返され、かつ、２つの前記アーム（９）にて前記ハウジング（１）から離れる一端が前記第１クリップ（８）の方向へ延長し、
前記リフレクター（２）にて前記ハウジング（１）の前記第１クリップ（８）に該当する部位に第２ボス（１０）があり、前記リフレクター（２）での前記第２ボス（１０）が前記第１クリップ（８）に嵌め込まれ、２つの前記アーム（９）の前記ハウジング（１）から離れる端は前記第２ボス（１０）に当たることを特徴とするＦｒＦＯＧランプエーミングの固定構造。
【請求項２】
第１クリップ（８）にてハーフリング形状の位置決め形状（１３）が設置され、第２ボス（１０）が前記位置決め形状（１３）に嵌め込まれることを特徴とする請求項１記載のＦｒＦＯＧランプエーミングの固定構造。
【請求項３】
第２ボス（１０）の下部に複数の補強リブ（１４）が設けられていることを特徴とする請求項１記載のＦｒＦＯＧランプエーミングの固定構造。
【請求項４】
第１ボス（５）及び第２ボス（１０）は共に中空の管状構造であることを特徴とする請求項１記載のＦｒＦＯＧランプエーミングの固定構造。
【請求項５】
アーム（９）は、第１クリップ（８）を構成する裏側壁から外向きに突起する延長部（１１）と、前記延長部（１１）と一体成型される折り返し（１２）とから成り、
２つの前記折り返し（１２）の前記延長部（１１）から離れる端部がお互いに近づき、かつ、２つの前記端部の間の空間は第２ボス（１０）が通る入口になることを特徴とする請求項１記載のＦｒＦＯＧランプエーミングの固定構造。
【請求項６】
エーミングスクリューユニットは、エーミングスクリュー（１５）及びリフレクター（２）で固定されるナット（１６）を含み、前記エーミングスクリュー（１５）が回転してハウジング（１）の奥側壁（６）に設置され、
前記エーミングスクリュー（１５）が前記ナット（１６）のネジ山で嵌合し、前記エーミングスクリュー（１５）を回転して前記ナット（１６）が前記エーミングスクリュー（１５）に対して動き、更に前記リフレクター（２）が前記ハウジング（１）に対して動くことを特徴とする請求項１記載のＦｒＦＯＧランプエーミングの固定構造。
【考案の詳細な説明】
【技術分野】
【０００１】
本考案は、自動車部品の技術分野に係り、具体的には、ＦｒＦＯＧ（フロントフォグランプ）ランプエーミング（Aiming：調整）の固定構造に関する。
【背景技術】
【０００２】
［先行技術の説明］
自動車のＦｒＦＯＧランプは曇り、雪、雨又は塵埃の環境において道路照明を改善する灯具であり、ＤＲＬ（Daytime Running Lamps：昼間走行灯）に類似し、車両走行の安全性を向上させるものである。
ＦｒＦＯＧランプはハウジング、レンズ及びハウジングの中に設置されるリフレクターを含み、リフレクターでＬＥＤ（Light Emitting Diode）基板及びヒートシンクが設置される。
既存のＦｒＦＯＧランプエーミングの固定構造は、リフレクターの一方の片側がハウジングに固定され、リフレクターの他方の片側がピボット板及びタッピングスクリューでハウジングに固定され、同時にエーミングスクリューでＦｒＦＯＧランプエーミング機能を実現する。
【０００３】
［関連技術］
尚、関連する先行技術としては、特許公開１０９９５８９７０号（ＣＮ  １０９９５８９７０  Ａ）公報「回転軸式車のライト調整構成」（特許文献１）がある。
特許文献１には、照明ランプにおける回転軸式車のライト調整構成が記載されている。
【先行技術文献】
【特許文献】
【０００４】
【特許文献１】中国特許公開１０９９５８９７０号公報
【考案の概要】
【考案が解決しようとする課題】
【０００５】
しかしながら、従来のライトの調整構成では、エーミングの固定構造の組み立てが複雑で部品点数も多く、固定構造の組み立てを容易にし、部品点数を少なくする更なる検討が必要であった。
【０００６】
本考案は上記実状に鑑みて為されたもので、エーミングの固定構造の組立を簡単にし、開発及び製造のコストを低減できるＦｒＦＯＧランプエーミングの固定構造を提供することを目的とする。
【課題を解決するための手段】
【０００７】
上記従来例の問題点を解決するための本考案は、ＦｒＦＯＧランプエーミングの固定構造であって、ハウジング及びハウジングの中に設置されるリフレクターを含み、ハウジングの下側壁の裏側にストッパーが設置され、リフレクターでのハウジングのストッパーに該当する部位にストッパーに嵌め込まれる第１ボスがあり、ハウジングの奥側壁はエーミングスクリューユニットでリフレクターに結合し、ハウジングの上側壁の裏側に第１クリップがあり、第１クリップの相対する両側がそれぞれ外向きに伸びてクリップのアームになり、２つのアームがそれぞれ奥側向きに折り返され、かつ、２つのアームにてハウジングから離れる一端が第１クリップの方向へ延長する。リフレクターにてハウジングの第１クリップに該当する部位に第２ボスがあり、リフレクターをハウジングに嵌め込んだ後に、リフレクターの第１ボスはハウジング下側壁のストッパーの中に、リフレクターの第２ボスをハウジングの上側壁の第１クリップの中に嵌める。かつ、２つのアームのハウジングから離れる端は第２ボスに当たり、第２ボスを第１クリップの中に収める。同時にハウジングの奥側壁がエーミングスクリューユニットでリフレクターと結合し、リフレクターがハウジングに固定される。
【０００８】
本考案は、上記ＦｒＦＯＧランプエーミングの固定構造において、好ましくは、第１クリップにてハーフリング形状の位置決め形状が設置され、第２ボスがこの位置決め形状に嵌め込まれ、位置決め形状は第２ボスが第１クリップの中の動きを制限し、リフレクターとハウジングの結合強度を高めるものである。
【０００９】
本考案は、上記ＦｒＦＯＧランプエーミングの固定構造において、好ましくは、第２ボスの下部に複数の補強リブがあり、第１補強リブの設置は第２ボスの強度を高めるものである。
【００１０】
本考案は、上記ＦｒＦＯＧランプエーミングの固定構造において、好ましくは、第１ボス及び第２ボスが共に中空の管状構造であり、第１ボスと第２ボスの中空構造は開発及び製造のコストを低減できるものである。
【００１１】
本考案は、上記ＦｒＦＯＧランプエーミングの固定構造において、好ましくは、アームは第１クリップを構成する裏側壁から外向きに突起する延長部、及び延長部と一体成型する折り返しからなり、２つの折り返しの延長部から離れる端部がお互いに近づき、かつ、２つの端部の間の空間は第２ボスが通る入口になるものである。
【００１２】
本考案は、上記ＦｒＦＯＧランプエーミングの固定構造において、好ましくは、エーミングスクリューユニットがエーミングスクリュー及びリフレクターで固定されるナットを含み、エーミングスクリューが回転してハウジングの奥側壁に設置され、エーミングスクリューがナットのネジ山で嵌合し、エーミングスクリューを回転してナットがエーミングスクリューに対して動き、更にリフレクターがハウジングに対して動くものである。
【考案の効果】
【００１３】
本考案によれば、リフレクターにてハウジングの第１クリップに該当する部位に第２ボスがあり、リフレクターをハウジングに嵌め込む後、リフレクターの第１ボスはハウジング下側壁のストッパーの中に、リフレクターの第２ボスをハウジングの上側壁の第１クリップの中に嵌め、かつ、２つのアームのハウジングから離れる端は第２ボスに当たり、第２ボスを第１クリップの中に収め、同時にハウジングの奥側壁がエーミングスクリューユニットでリフレクターと結合し、リフレクターがハウジングに固定されるＦｒＦＯＧランプエーミングの固定構造としているので、エーミングの固定構造の組立は簡単で開発及び製造のコストを低減できる効果がある。
【図面の簡単な説明】
【００１４】
【図１】本実用新案の構造イメージ図である。
【図２】本実用新案のハウジングの構造イメージ図である。
【図３】図２のＣ箇所の拡大イメージ図である。
【図４】本実用新案のリフレクターの構造イメージ図である。
【図５】本実用新案のリフレクターの他のビューでの構造イメージ図である。
【図６】図２のＢ箇所の拡大イメージ図である。
【図７】図１のＡ箇所の拡大イメージ図である。
【図８】リフレクターでの第１ボスがハウジングのストッパーに嵌め込まれた後の断面イメージ図である。
【図９】ハウジングの奥側壁とリフレクターがエーミングスクリューユニットで結合する断面イメージ図である。
【考案を実施するための形態】
【００１５】
本考案の実施の形態について図面を参照しながら説明する。
［実施の形態の概要］
本考案の実施の形態に係るＦｒＦＯＧランプエーミングの固定構造は、ハウジング及びその中に設置されるリフレクターを含み、ハウジングの下側壁の裏側にストッパーが設置され、リフレクターでのハウジングのストッパーに該当する部位にストッパーに嵌め込む第１ボスがあり、ハウジングの奥側壁はエーミングスクリューユニットでリフレクターに結合し、ハウジングの上側壁の裏側に第１クリップがあり、第１クリップの相対する両側がそれぞれ外向きに伸びてクリップのアームになり、２つのアームがそれぞれ奥側向きに折り返され、２つのアームにてハウジングから離れる一端が第１クリップの方向へ延長し、リフレクターにてハウジングの第１クリップに該当する部位に第２ボスがあり、リフレクターでの第２ボスが第１クリップに嵌め込まれ、２つのアームのハウジングから離れる端は第２ボスに当たるものであり、これもより、エーミング構造の組立作業を簡単にし、開発及び製造のコストを低減できるものである。
【００１６】
本実施例は、ＦｒＦＯＧランプエーミングの固定構造を開示し、図１に示すように、ハウジング１及びハウジング１の中に設置されるリフレクター２を含み、図２、図３及び図４に示すように、ハウジング１の下側壁３の裏側にストッパー４が設置され、リフレクター２でのハウジング１のストッパー４に該当する部位にストッパー４に第１ボス５が嵌め込まれ、図８に示すように、リフレクター２での第１ボス５がストッパー４に嵌め込まれる。ここで、ボスは結合又は補強の部品である。
【００１７】
図９に示すように、ハウジング１の奥側壁６がエーミングスクリューユニットでリフレクター２に結合し、図１、図６及び図７に示すように、ハウジング１の上側壁７の裏側に第１クリップ８があり、第１クリップ８の相対する両側がそれぞれ外向きに伸びてアーム９になり、２つのアーム９がそれぞれ奥側向き（内側）に折り返され、かつ、２つのアーム９にてハウジング１から離れる一端が第１クリップ８の方向へ延長する。
【００１８】
図１や図５に示すように、リフレクター２にてハウジング１の第１クリップ８に該当する部位に第２ボス１０があり、図１や図７に示すように、リフレクター２での第２ボス１０が第１クリップ８に嵌め込まれ、２つのアーム９のハウジング１から離れる端は第２ボス１０に当たる。
【００１９】
ハウジング１とリフレクター２が組み立てられる時、リフレクター２をハウジング１に押し込む。図８に示すように、リフレクター２での第１ボス５をハウジング１のストッパー４に嵌め込み、リフレクター２での第２ボス１０をハウジング１の第１クリップ８に嵌め込む。かつ、２つのアーム９のハウジング１から離れる一端は第２ボス１０に当たり、第２ボス１０を第１クリップ８の中に収める。
【００２０】
同時にハウジング１の奥側壁６がエーミングスクリューユニットでリフレクター２と結合し、リフレクター２がハウジング１に固定される。
これにより、既存エーミングの固定構造に比べて、ピボット板及びタッピングスクリューの組み立てが不要になり、組み立て作業は簡単で、開発及び製造のコストを低減できる。
【００２１】
図６や図７に示すように、アーム９は第１クリップ８を構成する裏側壁から外向きに突起する延長部１１、及び延長部１１と一体成型される折り返し（折り返し部）１２からなる。２つの折り返し１２の延長部１１から離れる端部がお互いに近づき、かつ、２つの端部の間の空間は第２ボス１０が通る入口になる。
【００２２】
リフレクター２を組み立てる時、第２ボス１０は入口を通して第１クリップ８に入り、２つのアーム９のハウジング１から離れる一端は第２ボス１０に当たり、第２ボス１０を第１クリップ８の中に収める。第２ボス１０を第１クリップ８に収めた後、第１クリップ８の中で動き、位置ズレが発生する可能性がある。従って、第１クリップ８にはハーフリングの位置決め形状（位置決め部）１３が設置され、第２ボス１０が位置決め形状１３に嵌まる。
【００２３】
同時に、２つのアーム９のハウジング１から離れる端は第２ボス１０に当たり、第２ボス１０が位置決め形状１３にしっかり制限され、位置決め形状１３が第２ボス１０を第１クリップ８の中で動きを制限する為、リフレクター２とハウジング１の結合強度を向上させるものである。
【００２４】
好ましくは、図５に示すように、第２ボス１０の下部に複数の補強リブ１４が設けられており、補強リブ１４の設置は第２ボス１０の強度を高めることができる。
第１ボス５及び第２ボス１０は共に中空の管状構造である。第１ボス５と第２ボス１０の中空構造は開発及び製造のコストを低減できるものである。
【００２５】
図２、図４又は図９に示すように、エーミングスクリューユニットは、エーミングスクリュー１５及びリフレクター２に固定されるナットユニット（ナット）１６を含み、エーミングスクリュー１５が回転してハウジング１の奥側壁６に設置され、エーミングスクリュー１５とナットユニット１６がネジ山で結合（嵌合）し、エーミングスクリュー１５を回転してナットユニット１６がエーミングスクリュー１５に対して動き、リフレクター２がハウジング１に対して動くものである。
【００２６】
リフレクター２でエーミングスクリュー１５に該当する部位に結合アーム１７があり、結合アーム１７には結合板部１８があり、結合板部１８には穴が開いている。
ナットユニット１６は、エーミングスクリュー１５とネジ山で結合するナット２０、及びナット２０の片側に固定する２つのブロック２１からなり、かつ、２つのブロック２１がそれぞれエーミングスクリュー１５から離れる方向へ伸びてロック突起になる。
【００２７】
ナット２０は、結合板部１８の穴を貫通し、かつ、２つのブロック２１及びナット２０が結合板部１８の両側にあり、結合板部１８で近い側のナット２０が結合板部１８に当たり（接続し）、結合板部１８で近い側のブロック２１の突起部が結合板部１８に当たり、ナットユニット１６がリフレクター２の結合アーム１７に固定される。
【００２８】
そして、エーミングスクリュー１５とナット２０がネジ山で結合し、かつ、２つのブロック２１はエーミングスクリュー１５の両側に設置される。
エーミングスクリュー１５を回転してナットユニット１６がエーミングスクリュー１５に対して軸方向で動き、リフレクター２が第１ボス５を回転軸にして回転し、リフレクター２がエーミングスクリュー１５5対して軸方向で動き、エーミングスクリュー１５でリフレクター２のエーミング機能を実現する。
【００２９】
エーミングスクリュー１５の詳細構造は、公開番号ＣＮ１０９９５８９７０Ａの文書を参照すること。
本具体実施例に指定される方向は、各部品相互の位置関係及び相互嵌合関係を説明するだけのものである。上記説明は、本実用新案の好適な実施方式のみに限定されるものではなく、本実用新案の保護範囲が上記実施例に限定されるものでもなく、本実用新案の考え方に沿う技術案が全て本実用新案の保護範囲内である。本技術分野において普通な技術人員に対し、本実用新案の原理に逸れない前提で若干改善及び仕上げ、それらの改善及び仕上げが本実用新案の保護範囲内と見なすべきである。
【００３０】
［実施の形態の効果］
本実施の形態によれば、ハウジング１及びその中に設置されるリフレクター２を含み、ハウジング１の下側壁３の裏側にストッパー４が設置され、リフレクター２でのハウジング１のストッパー４に該当する部位にストッパー４に嵌め込む第１ボス５があり、ハウジング１の奥側壁６はエーミングスクリューユニットでリフレクター２に結合し、ハウジング１の上側壁７の裏側に第１クリップ８があり、第１クリップ８の相対する両側がそれぞれ外向きに伸びてクリップのアーム９になり、２つのアーム９がそれぞれ奥側向きに折り返され、２つのアーム９にてハウジング１から離れる一端が第１クリップ８の方向へ延長し、リフレクター２にてハウジング１の第１クリップ８に該当する部位に第２ボス１０があり、リフレクター２での第２ボス１０が第１クリップ８に嵌め込まれ、２つのアーム９のハウジング１から離れる端は第２ボス１０に当たるものとしているので、該当エーミング構造の組立作業を簡単にし、開発及び製造のコストを低減できる効果がある。
【産業上の利用可能性】
【００３１】
本考案は、エーミングの固定構造の組立を簡単にし、開発及び製造のコストを低減できるＦｒＦＯＧランプエーミングの固定構造に適している。
【符号の説明】
【００３２】
１…ハウジング、  ２…リフレクター、  ３…下側壁、  ４…ストッパー、  ５…第１ボス、  ６…奥側壁、  ７…上側壁、  ８…第１クリップ、  ９…アーム、  １０…第２ボス、  １１…延長部、  １２…折り返し、  １３…位置決め形状、  １４…補強リブ、  １５…エーミングスクリュー、  １６…ナット、  １７…結合アーム、  １８…結合板部、  ２０…ナット、  ２１…ブロック
【図１】
0003232337.tif 000003
【図２】
0003232337.tif 000004
【図３】
0003232337.tif 000005
【図４】
0003232337.tif 000006
【図５】
0003232337.tif 000007
【図６】
0003232337.tif 000008
【図７】
0003232337.tif 000009
【図８】
0003232337.tif 000010
【図９】
0003232337.tif 000011